(57)【要約】【課題】組み込み対象である照明装置の照度ムラを抑制できる反射板、及び、該反射板を備えた照明装置を提供することを課題とする。【解決手段】照明装置に組み込まれて光源が発する光を反射する反射板であり、前記光源の少なくとも一部が位置する反射板凹部を備え、前記反射板凹部は、前記光源のうち光を発する光源発光部が位置する底部と、前記底部の外縁部から外側前方へと傾斜し、前記光源発光部の光を反射する内反射面を有する周側壁部と、を備え、前記底部にて前記光源発光部を挟んで対向する前記外縁部同士の距離をＬ１とし、前記内反射面の前記光源発光部を挟んで対向する前端同士の距離をＬ２とし、前記内反射面の後端から前端までの前後方向の距離をＨとする場合、下記の２式を満たすことを特徴とする反射板である。  ２．４≦Ｌ２／Ｈ≦５．５  １．０≦（Ｌ２−Ｌ１）／Ｈ≦２．２【選択図】図８
2014186978.tif 000002
【特許請求の範囲】
【請求項１】
照明装置に組み込まれて光源が発する光を反射する反射板であり、
前記光源の少なくとも一部が位置する反射板凹部を備え、
前記反射板凹部は、前記光源のうち光を発する光源発光部が位置する底部と、前記底部の外縁部から外側前方へと傾斜し、前記光源発光部の光を反射する内反射面を有する周側壁部と、を備え、
前記底部にて前記光源発光部を挟んで対向する前記外縁部同士の距離をＬ１とし、前記内反射面の前記光源発光部を挟んで対向する前端同士の距離をＬ２とし、前記内反射面の後端から前端までの前後方向の距離をＨとする場合、下記の２式を満たすことを特徴とする反射板。
２．４≦Ｌ２／Ｈ≦５．５
１．０≦（Ｌ２−Ｌ１）／Ｈ≦２．２
【請求項２】
前記周側壁部は、前記内反射面の前端と前記底部の外縁部とを円弧で結ぶ縦断面形状を有しており、
前記円弧の半径をＲとし、縦断面にて前記内反射面の前端と前記底部の外縁部とを結ぶ直線が前記底部の法線となす角度をβとする場合、下記の式を満たすことを特徴とする請求項１に記載の反射板。
Ｒ＝［｛(Ｌ２−Ｌ１)／２｝2+Ｈ2］0.5／｛２×sin（７．５°＋|３７．５°−β|）｝
【請求項３】
前記反射板の外縁部における少なくとも一部に外縁面部を備え、
前記外縁面部は、外方に向かうにつれ後方へと傾斜する外縁面部反射面を有し、
前記外縁面部反射面は、前記光源発光部から発された後に前記照明装置内で反射した光を、反射することで、前記照明装置の側方へと導くことを特徴とする請求項１または２に記載の反射板。
【請求項４】
前記反射板凹部を複数備え、
前記外縁面部に加え、前記複数の反射板凹部の間に接続部を更に備え、
前記接続部は、前記反射板の平面視中心から外方に向かうにつれ後方へと傾斜する接続部反射面を有し、
前記接続部反射面は、前記光源発光部から発された後に前記照明装置内で反射した光を、反射することで、前記照明装置の側方へと導くことを特徴とする請求項３に記載の反射板。
【請求項５】
前記複数の反射板凹部は平面方向に広がって配置され、
前記外縁面部反射面と前記接続部反射面とにより一つの曲面が構成されることを特徴とする請求項４に記載の反射板。
【請求項６】
請求項１〜５のいずれかの請求項に記載の反射板と、前記反射板凹部内に前記光源発光部が位置する、少なくとも１個の点状光源とが組み合わされたことを特徴とする照明装置。
【請求項７】
前記点状光源の前方に位置し、前記光源発光部からの光を拡散させつつ透過させるカバーを更に備えることを特徴とする請求項６に記載の照明装置。
【発明の詳細な説明】
【技術分野】
【０００１】
本発明は、照明装置に組み込まれて光源が発する光を反射する反射板、及び、該反射板を備えた照明装置に関する。
【背景技術】
【０００２】
近年、発光ダイオード（ＬＥＤ）を光源として用いた照明装置は、一般に、蛍光灯や白熱電球に比べてエネルギー効率が高く、長寿命であることからその用途を急速に拡大させている。しかし、ＬＥＤに代表される点状光源（本願の説明においては、線状光源または面状光源と区別される光源であり、光源における発光部（光る部分）の面積が照明装置の占める面積に比べて小さい光源のことを指す。）から照射される光は指向性が高く、そのままの状態では、局部的に強い光を照射することになる。このため、照明装置の配光性（「配向性」ともいう）を向上させるため、つまり、一定以上の光量をある程度の面積にわたって照射させるためには、この指向性の高い光源から照射される光を適宜拡散させることが必要となる。
【０００３】
前記指向性の高い光源からの光を拡散させる方法として、光の反射性に優れた平板状の材料に、凹部（以下、反射板凹部と記す）を形成し、該反射板凹部の底部に形成された開口部から反射板凹部内に光源の発光部を突出させ、反射板凹部の内面に光源から発された光を反射させて拡散させることが提案されている。このような反射板を備えた照明装置の一例として、面状に配置された複数のＬＥＤを備える光源モジュールと、該光源モジュールを覆うように形成された反射板と、反射板を覆うように形成されて光源からの光を拡散させつつ透過させる拡散板とを備えたライトボックスが提案されている。この照明装置では、光源モジュールのＬＥＤに対応する位置に反射板凹部が形成されており、各反射板凹部内に突出したＬＥＤから照射される光と反射板によって反射された光とが拡散板で拡散されつつ拡散板を通過するため、一定以上の光量を面状の領域から照射させることが可能となっている（下記特許文献１）。
【先行技術文献】
【特許文献】
【０００４】
【特許文献１】国際公開ＷＯ２００７／０３７０３５号公報
【発明の概要】
【発明が解決しようとする課題】
【０００５】
前記指向性の高い光源は、該光源から発された光の光軸を基準とした広がりを表す角度である指向角が小さい。しかし、特許文献１に記載された照明装置は、該照明装置に組み込まれた反射板がＬＥＤの指向角に応じて適切に形成されているとは言い難かった。このため、この照明装置では照度ムラが発生する可能性があった。つまり、前記のように局部的に強い光を照射することが十分に抑制できていない可能性があった。
【０００６】
そこで本発明は、組み込み対象である照明装置の照度ムラを有効に抑制できる反射板、及び、該反射板を備えた照明装置を提供することを課題とする。
【課題を解決するための手段】
【０００７】
本発明は、照明装置に組み込まれて光源が発する光を反射する反射板であり、前記光源の少なくとも一部が位置する反射板凹部を備え、前記反射板凹部は、前記光源のうち光を発する光源発光部が位置する底部と、前記底部の外縁部から外側前方へと傾斜し、前記光源発光部の光を反射する内反射面を有する周側壁部と、を備え、前記底部にて前記光源発光部を挟んで対向する前記外縁部同士の距離をＬ１とし、前記内反射面の前記光源発光部を挟んで対向する前端同士の距離をＬ２とし、前記内反射面の後端から前端までの前後方向の距離をＨとする場合、下記の２式を満たすことを特徴とする。
２．４≦Ｌ２／Ｈ≦５．５
１．０≦（Ｌ２−Ｌ１）／Ｈ≦２．２
【０００８】
この構成によれば、前記の２式を満たす形状とされた反射板凹部における内反射面は、光源の光を反射することで、反射した光を、光束が閉塞し過ぎることなく適切な方向へ導くことができる。このため、反射板凹部を光源の指向角に応じて適切に形成でき、指向性の高い光源であっても、照明装置の前方への照射効率を高めつつ、均一な照射が可能である。
【０００９】
また、前記周側壁部は、前記内反射面の前端と前記底部の外縁部とを円弧で結ぶ縦断面形状を有しており、前記円弧の半径をＲとし、縦断面にて前記内反射面の前端と前記底部の外縁部とを結ぶ直線が前記底部の法線となす角度をβとする場合、下記の式を満たすものともできる。
Ｒ＝［｛(Ｌ２−Ｌ１)／２｝2+Ｈ2］0.5／｛２×sin（７．５°＋|３７．５°−β|）｝
【００１０】
この構成によれば、前記の式を満たす円弧を有する縦断面形状とされた周側壁部の内反射面は、光源の光を前記円弧に対応した面に従って反射することで、この光を前記適切な方向へ効率良く導くことができる。このため、照明装置の前方への照射効率を更に高めることができる。
【００１１】
また、前記反射板の外縁部における少なくとも一部に外縁面部を備え、前記外縁面部は、外方に向かうにつれ後方へと傾斜する外縁面部反射面を有し、前記外縁面部反射面は、前記光源発光部から発された後に前記照明装置内で反射した光を、反射することで、前記照明装置の側方へと導くものともできる。
【００１２】
この構成によれば、前記外縁面部反射面は、前記光源発光部から発された後に前記照明装置内で反射した光を、反射することで、前記照明装置の側方へと導くことができる。このため、照明装置の側方への照射効率を高めることができる。
【００１３】
また、前記反射板凹部を複数備え、前記外縁面部に加え、前記複数の反射板凹部の間に接続部を更に備え、前記接続部は、前記反射板の平面視中心から外方に向かうにつれ後方へと傾斜する接続部反射面を有し、前記接続部反射面は、前記光源発光部から発された後に前記照明装置内で反射した光を、反射することで、前記照明装置の側方へと導くものともできる。
【００１４】
この構成によれば、前記接続部反射面は、前記光源発光部から発された後に前記照明装置内で反射した光を、反射することで、前記照明装置の側方へと導く。このため、前記外縁面部と接続部との組み合わせにより、照明装置の側方への照射効率を更に高めることができる。
【００１５】
また、前記複数の反射板凹部は平面方向に広がって配置され、前記外縁面部反射面と前記接続部反射面とにより一つの曲面が構成されるものともできる。この構成によれば、前記外縁面部反射面と前記接続部反射面とにより構成される一つの曲面にて、照明装置の前方への光の反射と側方への光の反射とをバランス良くできる。なお、前記「平面方向に広がって」とは、前後方向への位置ずれを伴うことも許容している。
【００１６】
また本発明は、前記いずれかの反射板と、前記反射板凹部内に前記光源発光部が位置する、少なくとも１個の点状光源とが組み合わされたことを特徴とする。この構成によれば、指向性の高い点状光源からの光を前記いずれかの形状である反射板が反射することで、反射した光を、光束が閉塞し過ぎることなく適切な方向へ導くことができる。このため、反射板凹部を光源の指向角に応じて適切に形成でき、点状光源を用いても、照明装置の前方への照射効率を高めつつ、均一な照射が可能である。
【００１７】
また、前記点状光源の前方に位置し、前記光源発光部からの光を拡散させつつ透過させるカバーを更に備えるものともできる。この構成によれば、カバーにより照明装置に光ムラや影ムラを生じることを抑制できる。
【発明の効果】
【００１８】
以上のように、本発明によれば、反射板凹部を光源の指向角に応じて適切に形成でき、指向性の高い光源であっても、照明装置の前方への照射効率を高めつつ、均一な照射が可能である。このため、前記反射板の組み込み対象である照明装置の照度ムラを有効に抑制できる。
【図面の簡単な説明】
【００１９】
【図１】第１実施形態に係る反射板が組み込まれた照明ランプの構成物品を示した分解状態の斜視図。
【図２】第１実施形態に係る反射板が組み込まれた照明ランプの光源収容体を示した斜視図。
【図３】（ａ）は、第１実施形態に係る反射板が組み込まれた照明ランプの反射板の長手方向に直交する断面を示した斜視図、（ｂ）は、反射板の長手方向の断面を示した図、（ｃ）は、反射板凹部の寸法関係を示した説明図。
【図４】光源の放射角度及び指向角の測定方法についての説明図。
【図５】第１実施形態に係る反射板が組み込まれた照明ランプの光源収容体、反射板、拡散板が重なった状態におけるそれぞれの長手方向に直交する断面を示した断面図。
【図６】（ａ）〜（ｆ）は、複数の光源が直線状に配列された他の実施形態に係る反射板を示した斜視図。
【図７】（ａ）は、第２実施形態に係る反射板を示した、中央を縦断面表示した斜視図、（ｂ）は、第４実施形態に係る反射板を示した、中央を縦断面表示した斜視図。
【図８】（ａ）は、第２実施形態に係る反射板が組み込まれた照明装置を示した縦断面図、（ｂ）は、第４実施形態に係る反射板が組み込まれた照明装置を示した縦断面図。
【図９】（ａ）は、第３実施形態に係る反射板を示した縦断面図、（ｂ）は、第３実施形態に係る反射板の変形形態を示した縦断面図、（ｃ）は、第４実施形態に係る反射板を示した縦断面図。
【図１０】（ａ）は、反射板凹部の各部寸法を示した説明図、（ｂ）は、照明装置の各部寸法を示した説明図、（ｃ）は、前方照度及び側方照度の測定方法を示す説明図。
【図１１】実施例、比較例、参考例の平面視形状及び縦端面視形状を示す図。
【発明を実施するための形態】
【００２０】
以下、本発明の複数の実施形態について添付した図を参照しながら説明する。なお、以下の説明における上下方向、水平・垂直方向の表現は、図１等に示されたように、カバー１が鉛直方向における上方に位置し、光源収容体２が同下方に位置した場合を基準としている。また、前後の表現は、照明ランプ内に位置する発光ダイオード（ＬＥＤ）の向き（より具体的にはＬＥＤから発される光束の向き）を基準としている。
【００２１】
まず、第１実施形態について説明する。本実施形態の反射板が組み込まれた照明装置のうち一部を構成する照明ランプは、従来の、発光部分が直管とされた直管形蛍光灯の代替を主な目的としており、発光部分の外観が直管状である照明ランプである。図１に示すように、光を拡散させつつ透過させるカバー１と、光源ＬであるＬＥＤを収容した、基台部としての光源収容体２と、光源Ｌからの光を反射する反射板３と、光を拡散させる拡散板４と、電流を供給するソケットに挿入される一対の口金５，５とから構成されている。そして、カバー１の軸線に沿って光源収容体２が取り付けられることで直管状となり、該直管状部分における内部空間に、反射板３及び拡散板４が配置され、該直管状部分（カバー１及び光源収容体２）の両端部に一対の口金５，５が取り付けられることで照明装置が形成される。
【００２２】
前記カバー１は、光源収容体２に対して着脱可能であり、軸線方向が長手となるように形成されている。本実施形態では、カバー１は、円筒状の外周部が軸線方向に沿う側方開口部１ｂの形成により長手方向に沿って切り欠かれ（具体的には、長手方向の両端間の全域に亘って）、長手方向に直交する断面の断面形状が略「Ｃ」字状に形成されている。また、カバー１は、両端部に端部開口部１ａ，１ａが形成されている。側方開口部１ｂは、長手方向に平行に形成されており、幅寸法は該側方開口部１ｂに光源収容体２が装着可能な寸法とされている。このため、カバー１は、該カバー１に加えられた下方への外力を受け、側方開口部１ｂが幅方向に拡大するように弾性変形可能とされている。また、この側方開口部１ｂの開口端縁１ｃは、カバー１を光源収容体２に装着する際に、光源収容体２における収容体フランジ部２ｂの上側面２ｂ１に間接的に（本実施形態では反射板３及び拡散板４越しに）当接する当接部として機能する。
【００２３】
また、カバー１は、内周面から突出する係止部としての係止突起１ｄを備えている。該係止突起１ｄは、長手方向に平行に形成されている。具体的には、係止突起１ｄは、側方開口部１ｂに近い側に１本ずつ端側係止突起１ｄ１が形成され、更に、側方開口部１ｂから周方向に離れた位置に１本ずつ奥側係止突起１ｄ２が形成されている。つまり、側方開口部１ｂの幅方向一方側につき２本ずつ形成されている。端側係止突起１ｄ１の基端部の奥側の位置と、奥側係止突起１ｄ２の基端部の端側（側方開口部側）の位置との距離は、拡散板フランジ部４ｂ、反射板フランジ部３ｃ、収容体フランジ部２ｂを重ね合わせた厚さ寸法と略一致している。
【００２４】
係止突起１ｄは、カバー１の両端部に形成された端部開口部１ａ，１ａ間の全域に亘って直線状に形成されている。本実施形態では、係止突起１ｄは、２本１組である各組が側方開口部１ｂを挟むようにして一対形成されている。また、係止突起１ｄの断面形状は三角形とされている。詳しくは、係止突起１ｄにおける側方開口部１ｂ寄りの側面形状が、カバー１を光源収容体２に装着した状態（または、照明ランプとして組み立てられた状態）にて光源収容体２の収容体フランジ部２ｂの上側面２ｂ１と平行な面であり、反対側の側面が同状態にて水平な面となる形状である。このような形状とすることにより、カバー１の光源収容体２への装着後に、収容体フランジ部２ｂの上側面２ｂ１側において係止突起１ｄによる遮光を防止できる。なお、本実施形態では、側方開口部１ｂの開口端縁１ｃに一致して端側係止突起１ｄ１が形成されているが、開口端縁１ｃから周方向に離れた位置に端側係止突起１ｄ１が形成されていてもよい。また、係止突起１ｄは側方開口部１ｂの幅方向一方側に１本ずつ形成されていてもよい。
【００２５】
なお、カバー１を形成する材料としては、光拡散透過性を有するもの、つまり、光源Ｌからの光を拡散透過できるものであれば特に限定されるものではなく、例えば、屈折率の異なる樹脂を混合したものや、非相溶微粒子が材料に添加または表面に塗布されたものであってもよい。特に、本実施形態ではカバー１を光源収容体２に装着するため、側方開口部１ｂが拡大・縮小する際にカバー１が変形する。このため、強度に優れた材質とすることが好ましく、好ましい材料として、例えば、ポリアクリル酸メチル系やポリカーボネート系の樹脂素材が挙げられる。また、例えば、カバー１の表面に凹条及び凸条、または微細加工が施されたことにより、光拡散性が付与されてもよい。
【００２６】
前記のように構成されたカバー１は、光源収容体２の幅方向外側から装着される。このため、透光性のあるカバーを、直管状である発光部分における、周方向の広い範囲に位置させるようにできる。よって、照明ランプの配光性を向上できる。なお、本実施形態における「発光部分」とは、従来の直管形等の蛍光灯における発光部分に対応する部分であって、口金や口金に接続された台座を除いた部分を指す。
【００２７】
前記光源収容体２は、一方向に沿って長手となるように形成されている。光源収容体２の長さとしては、特に限定されるものではないが、本実施形態では、カバー１の長手方向の長さとほぼ同一長さのものが用いられる。また、光源収容体２は、光源ＬとしてＬＥＤを備える光源モジュールＬｍを収容するよう構成されている。具体的には、光源収容体２は、凹状（より詳しくは、長手方向に直交する断面形状が凹状）に形成されて、内側に光源モジュールＬｍを収容するように構成されている。なお、本実施形態の光源モジュールＬｍは、光源収容体２の長手方向に沿って長手となるように形成され、基板上に長手方向に沿って複数の光源Ｌが直線状に（一方向に）等間隔で配列された基板実装型である。本実施形態では、図１に示すように、光源Ｌが一列に並ぶように配列されているが、これに限定されるものではなく、複数列が並ぶように配列されたり、千鳥状に配列されたりしてもよい。更には、下記の第２実施形態（図７（ａ）参照）または第４実施形態（図７（ｂ）参照）のように、複数の光源Ｌ…Ｌが上方から見た場合に、平面方向に広がって配置されてもよい。逆に、一つの光源Ｌのみから光源モジュールＬｍが構成されていてもよい（図１１参照）。また、光源モジュールＬｍは、前記基板実装型以外にも配線モジュール型など、便宜選択できる。
【００２８】
光源収容体２について、より詳しく説明すると、図２に示すように、光源収容体２は、凹状に形成されて光源モジュールＬｍを収容する収容体凹部２ａと、該収容体凹部２ａの幅方向端部から外方に延設された収容体フランジ部２ｂとを備えている。ここで、外方とは、カバー１が光源収容体２に装着された状態で、軸線方向に直交する方向（即ち、カバー１及び光源収容体２の長手方向に直交する方向）であって、収容体凹部２ａの内側から外側に向かう方向をいう。
【００２９】
前記収容体凹部２ａは、光源モジュールＬｍが載置される収容体底部２ｃと、該収容体底部２ｃの端部から開放方向に向かって形成された一対の収容体壁部２ｄ，２ｄとから構成されている。
【００３０】
収容体底部２ｃは、上面が光源収容体２の長手方向に沿って長手となる平面に形成されている。また、収容体底部２ｃは、光源モジュールＬｍと密着するように構成されている。収容体壁部２ｄは、光源収容体２（即ち、収容体底部２ｃ）の長手方向に沿って（具体的には、長手方向の両端間の全域に亘って）形成されている。収容体壁部２ｄのうち下部は、収容体底部２ｃに対して略直交するように形成されている。一方、収容体壁部２ｄのうち中間部は、収容体底部２ｃよりも外方に向かって傾斜するように形成されている。そして、収容体壁部２ｄのうち上部は、上方に向かうように形成されている。
【００３１】
収容体底部２ｃの下面、及び、収容体壁部２ｄの外面からはフィン部２ｅが複数突出している。収容体底部２ｃ側のフィン部２ｅは、収容体底部２ｃの下面に対して直交し、長手方向に沿って形成された平板状のものである。収容体壁部２ｄ側のフィン部２ｅは、図２に示すような、内側面が垂直面とされ外側面が傾斜面とされた断面形状であり、長手方向に沿って形成されものである。そして、収容体壁部２ｄ側のフィン部２ｅにおける外側上方の面は嵌合部２ｆの一部を構成する。
【００３２】
前記収容体フランジ部２ｂは、収容体凹部２ａの開放方向に位置する収容体壁部２ｄの端部から下斜め外方に延設されるように形成されている。また、収容体フランジ部２ｂは、光源収容体２の長手方向に沿って（具体的には、長手方向の両端間の全域に亘って）形成されている。この収容体フランジ部２ｂの上側面２ｂ１は、幅方向において外向きの、平坦な傾斜面とされている。本実施形態では、この上側面２ｂ１の傾斜角度は４５°とされている。
【００３３】
フランジ部２ｂにおける内側下方面、収容体壁部２ｄ側のフィン部２ｅにおける外側上方面、収容体壁部２ｄのうち上部により、長手方向に沿う溝状の嵌合部２ｆが形成されている。この嵌合部２ｆは、係止部としての係止突起１ｄに対する被係止部として機能する。この嵌合部２ｆにはカバー１の端側係止突起１ｄ１が嵌合する。
【００３４】
なお、光源収容体２を形成する材料としては、特に限定されるものではなく、本実施形態では、アルミニウム合金が押出成型されて形成されている。ただし、アルミニウム合金に限定されず、種々の素材を用いることができる。特に放熱を考慮すると、熱伝導性の高い素材（金属等）を用いることが好ましい。このような素材を用いて光源収容体２を形成することで、光源モジュールＬｍの熱を光源収容体２の外側に放散させることができ、光源モジュールＬｍが温度上昇してしまうのを抑制することができる。特に、アルミニウム合金は、熱伝導性に優れ、軽量とでき、加工性が良く、表面の光反射性にも優れるため好ましい。更に、本実施形態の光源収容体２にはフィン部２ｅが形成されているため、光源モジュールＬｍの熱をフィン部２ｅから効果的に放散させることができる。なお、本発明においてフィン部２ｅの形成は必須ではなく、省略してもよい。また、フィン以外の形状であって、光源収容体２の表面積を増加させたことにより放熱を促進するように構成されていてもよい。
【００３５】
図１に戻り、前記反射板３は、一方向に沿って長手となるように形成されている。反射板３の長さとしては、特に限定されるものではなく、種々の長さとできる。また、反射板３は、凹状（具体的には、長手方向に直交する断面形状が凹状）の形状を有する。また、反射板３は、この凹状となる領域（後述する反射板凹部３ａ）を複数備えている。この凹状となる領域は、反射板３の長手方向に沿って複数形成されている。そして、反射板３は、各凹状となる領域の内側に形成された空間同士を仕切る仕切壁部３ｂを各凹状となる領域間に備えている。この反射板３は、光源収容体２の上方に重ねられることで、反射板３の表面（特に反射壁部３ｅにおける反射内壁面３ｆ及び仕切壁部３ｂにおける壁面３ｊ）にて光源Ｌからの光を反射してカバー１に至らせることができる。これにより照明ランプの照度を向上できる。また、複数の光源Ｌによる光のムラを低減でき、配光を均一化できる（これは特に、拡散反射性の高い反射板を用いた場合に顕著に奏される効果である）。
【００３６】
反射板３について、より詳しく説明すると、図３（ａ）に示すように、反射板３は、光源収容体２が組み合わされたカバー１内に収容された状態（光源収容体２とカバー１との係止により形成された空間に反射板３が位置する状態）で、カバー１の軸線（換言すれば、反射板３の長手方向）に直交する断面形状が凹状となるように形成された反射板凹部３ａと、該反射板凹部３ａの開放方向に位置する端部から外方に延設された反射板フランジ部（外縁面部）３ｃとを備えている。本実施形態では、反射板凹部３ａは、カバー１の軸線（換言すれば、反射板３の長手方向）に沿って複数形成されている。そして、各反射板凹部３ａの内側に形成された空間同士を仕切る仕切壁部３ｂが各反射板凹部３ａの間に形成されている。ここで、外方とは、カバー１内に反射板３が収容された状態で、カバー１の軸線に直交する方向であって、反射板凹部３ａの内側から外側に向かう方向をいう。
【００３７】
前記反射板凹部３ａは、平板状（具体的には、平面視四角形状）に形成された底部である反射底部３ｄと、同じく平板状に形成され、該反射底部３ｄの端部から開放方向に向かって形成された対向する一対の反射壁部（周側壁部）３ｅ，３ｅとから構成されている。また、反射板凹部３ａは、反射底部３ｄにおける外縁部から開放方向に向かって外方前方へと傾斜するように立ち上げられて形成された反射内壁面（内反射面）３ｆを備えている。
【００３８】
反射底部３ｄは、厚み方向に貫通するように形成された開口部３ｇを備えている。該開口部３ｇは、反射板凹部３ａの下方外側から光源Ｌを挿入可能に構成されており、図５に示すように反射板３を光源収容体２に重ね合わせた状態で、反射底部３ｄの上方に光源Ｌの一部（具体的にはＬＥＤのうち光を発する部分である発光部を含む部分）が突出する。これにより、反射底部３ｄから光源Ｌの光が照射される。反射内壁面３ｆは、対向する一対の反射壁部３ｅ，３ｅにおける対向する面が反射底部３ｄから開放方向に向かって外方に傾斜するように形成されてなるものである。即ち、反射板凹部３ａは、一対の対向する反射内壁面３ｆ，３ｆを備えている。
【００３９】
前記反射板フランジ部３ｃは、反射板凹部３ａの開放方向に位置する反射壁部３ｅの端部から下斜め外方に延設されるように形成されている。つまり、この反射板フランジ部３ｃにおける上側面（外反射面）は、反射壁部３ｅにおける反射内壁面（内反射面）３ｆとは異なる角度に傾斜した面である。また、反射板フランジ部３ｃは、反射板３の長手方向に沿って（具体的には、長手方向の両端間の全域に亘って）形成されている。また、反射板フランジ部３ｃは、上側面と下側面とが、図５に示すように、光源収容体２に反射板３を重ね合わせた状態で、光源収容体２における収容体フランジ部３ｂの上側面２ｂ１に対して平行となるように形成されている。左右の反射板フランジ部３ｃ，３ｃが光源収容体２とカバー１とによって挟まれるため、接着剤や接着テープを用いることなしに、反射板３を光源収容体２に対してずれることなく固定できる。
【００４０】
仕切壁部３ｂは、カバー１の軸線（換言すれば、反射板３の長手方向）に略直交するように形成されている。また、仕切壁部３ｂは、反射板３の長手方向に沿って間隔を空けて（等間隔で）複数配置されている。そして、対向する一対の仕切壁部３ｂ，３ｂは、図３（ｂ）に示すように、対向する壁面３ｊ，３ｊ同士の間隔が反射板凹部３ａの開放方向に向かって広くなるように形成されている。壁面３ｊ，３ｊは、前記反射壁部３ｅ，３ｅと同じく平板状に形成されている。これにより、対向する一対の仕切壁部３ｂ，３ｂと、反射板凹部３ａとで画定される空間は、逆截頭多角錐形状または多角錐台状（具体的には四角錐台状）となっている。また、本実施形態では、仕切壁部３ｂは、反射板凹部３ａの開放方向側に位置する端部３ｋが反射板凹部３ａの開放方向の端部３ｍよりも反射底部３ｄ側に位置している。この仕切壁部３ｂの形成により、前記逆截頭多角錐形状または多角錐台状（四角錐台状）の空間が複数、反射板３の長手方向に並列する。
【００４１】
前記のように、反射板３は、光源収容体２が組み合わされたカバー１内に収容されることから、本実施形態の照明ランプを取り付ける灯具の側には、従来の蛍光灯を用いた灯具のように、照明ランプ外に該照明ランプの光（主に照射方向と逆方向に照射される光）を反射させる反射板を設ける必要がないため、灯具の構成を簡素化できる。
【００４２】
また、反射板３が複数の仕切壁部３ｂを備えることで、反射板凹部３ａの内面と一対の仕切壁部３ｂの対向する壁面とによってより多くの光が反射される。このため、より明るい光を反射板凹部３ａの開放方向に向かって照射させることができる。これにより、より明るい光を均一に照射する照明ランプとなる。
【００４３】
また、複数の仕切壁部３ｂを備えることで、反射板３におけるカバー１の軸線に沿った方向に直交する方向の剛性を向上させることができる。これにより、照明ランプの組み立ての際の作業性を向上させることができる。
【００４４】
また、仕切壁部３ｂの端部３ｋが反射板凹部３ａの端部３ｍよりも反射底部３ｄ側に位置していることで、反射板３におけるカバー１の軸線に沿った方向の剛性を向上させることができる。これにより、照明ランプの組み立ての際の作業性を向上させることができる。
【００４５】
また、この仕切壁部３ｂの端部３ｋは、反射板凹部３ａの開放方向に向かう光を収束する作用を有するため、光源収容体２と組み合わされた状態のカバー１内で反射板３がカバー１と近接していると、仕切壁部３ｂの端部３ｋとカバー１の間に光が届き難くなる。このため、カバー１における仕切壁部３ｂの端部３ｋに対応した領域の光量が低下し、光量にムラが生じてしまう。これに対し、仕切壁部３ｂの端部３ｋが反射底部３ｄ側に位置していることで、仕切壁部３ｂの端部３ｋとカバー１との間の間隔が広がるため、仕切壁部３の端部３ｋとカバー１との間に光が届き易くなる。これにより、より明るい光を均一に照射する照明ランプとなる。
【００４６】
なお、反射板３を形成する材料としては、特に限定されるものではなく、本実施形態では、板状の材料を熱成形することで反射板３が形成されている。この板状の材料としては、特に限定されるものではないが、例えば、熱可塑性樹脂シートを用いることが好ましい。熱可塑性樹脂シートが熱成形されることで反射板３が形成されることにより、反射板３の作製を容易に行うことができる。また、熱可塑性樹脂シートを折り曲げ加工する場合よりも、複雑な形状を作製し易く、折り曲げ加工によって形成される折り目による反射性の低下を防止することができる。
【００４７】
ここで、図３（ｃ）に示すように、反射板凹部３ａの各部寸法（長手方向寸法または前後方向寸法）は、反射底部３ｄの寸法（内寸）、つまり、反射底部３ｄの上面にて光源Ｌを挟んで対向する外縁部同士の距離をＬ１とし、仕切壁部３ｂ，３ｂまたは反射壁部３ｅ，３ｅの上端間の寸法（内寸）、つまり、仕切壁部３ｂ，３ｂまたは反射内壁面３ｆ，３ｆにて光源Ｌを挟んで対向する上端同士の距離（即ち、反射板凹部３ａの開口端寸法）をＬ２とし（図示は仕切壁部３ｂ，３ｂの寸法）、仕切壁部３ｂ，３ｂまたは反射壁部３ｅ，３ｅの下端から上端までの高さ寸法（即ち、反射板凹部３ａの高さ寸法）をＨとするとき（図示は仕切壁部３ｂ，３ｂの高さ）、下記の式１及び式２を満たすことが、配光性向上のため好ましい。
２．４≦Ｌ２／Ｈ≦５．５・・・（式１）
１．０≦（Ｌ２−Ｌ１）／Ｈ≦２．２・・・（式２）
【００４８】
式１及び式２で寸法が特定された反射板凹部３ａによると、特に反射壁部３ｅにおける反射内壁面３ｆ及び仕切壁部３ｂにおける壁面３ｊにおいて一次反射（光源Ｌが発する光の直接的な反射）される光束を、効率よく前方に集束させることができる。このため、光源Ｌの光を反射することでこの光を前方へと導くことができ、光源Ｌから後方に照射されてしまうロス光を低減できると共に、前方への照度を向上できる。しかも、反射内壁面３ｆ及び仕切壁部３ｂにおける壁面３ｊで反射された光を、光束が閉塞し過ぎることなく適切な方向へ導くことができる。このため、反射板凹部３ａを光源Ｌの指向角に応じて適切に形成でき、指向性の高いＬＥＤが光源Ｌとして用いられていても、照明ランプの前方への照射効率を高めつつ、均一な照射が可能である。
【００４９】
前記のように、照明ランプの仕様に応じ、Ｌ１及びＨを決定することにより最適なＬ２を決定できるため、配光性の良い形状の反射板３を設計できる。
【００５０】
次に、反射板凹部３ａの好ましい形状について述べるに伴い、光源Ｌの放射角度（光源Ｌから放射される全ての光の広がりに対応する角度）θ及び指向角θ1/2の測定方法について説明する。放射角度θは下記の要領で測定される。図４に示すように、測定対象の光源ＬとしてＬＥＤを用意する。そして、ＬＥＤ上の頂点Ｌｓを通る鉛直直線上において、ＬＥＤ上の頂点Ｌｓから５０ｃｍ離れた位置に輝度計Ｋを配設する。輝度計Ｋとしては、例えば、コニカミノルタ社から商品名「ＣＳ−１０００」にて市販されているスポット輝度計、トプコンテクノハウス社から商品名「ＢＭ−７」にて市販されているスポット輝度計、トプコンテクノハウス社から商品名「ＳＲ−３ＡＲ」にて市販されている分光放射輝度計を用いることができる。
【００５１】
ＬＥＤを点灯させた後、輝度計Ｋを、ＬＥＤ上の頂点Ｌｓを通る縦断面において該頂点Ｌｓを中心とする半径５０ｃｍの円上において移動させ、１°間隔毎に輝度計Ｋを走査させてＬＥＤから放射される光の輝度を測定する。なお、輝度計Ｋによる輝度の測定条件は、測定角１°、ＮＤフィルタ１０％、平均回数３回／１点とする。
【００５２】
図４において、ＬＥＤ上の頂点Ｌｓの右側にてＬＥＤからの光が測定されなくなった点Ｅ１を特定し、ＬＥＤ上の頂点Ｌｓの左側にてＬＥＤからの光が測定されなくなった点Ｅ２を特定する。そして、ＬＥＤ上の頂点Ｌｓと前記点Ｅ１とを結ぶ線Ｆ１と、ＬＥＤ上の頂点Ｌｓと前記点Ｅ２とを結ぶ線Ｆ２とがなす角度（２θ）の１／２の角度をθと定める。
【００５３】
また、同様に図４において最大輝度を計測した点より右側または左側において最大輝度の５０％を計測した点のうち図示右側の点をＥ３と、図示左側の点をＥ４と特定する。そして、ＬＥＤ上の頂点Ｌｓと点Ｅ３とを結ぶ線Ｆ３と、ＬＥＤ上の頂点Ｌｓと点Ｅ４とを結ぶ線Ｆ４とがなす角度（２θ1/2、「半値角」ともいう）の１／２の角度を指向角θ1/2と定める。ここで、最大輝度とは厳密な最大値（極大値）の輝度に限定されるわけではなく、例えば、実質的に複数の極大ピーク性を有する光源であればその最も右側及び左側のピークを其々の最大輝度の基準とすることができる。なお、流通しているＬＥＤの仕様表示は、前記半値角２θ1/2でなされることが一般的である。
【００５４】
次に、反射板凹部３ａの形状に係る好ましい条件について述べる。反射板３における反射板凹部３ａの反射底部３ｄに形成された、光源Ｌのうち光を発する部分（光源発光部）と反射板凹部３ａの開口端両縁とを結ぶ角度（２α’、図１０（ｂ）参照）の１／２の角度を開口角度α’とすると、α’は光源Ｌよりθ1/2以上の角度範囲に放射される光束を反射するための周側壁面を区画するべく、
θ1/2±１０°≦α’＜θ
であることが好ましい。α’＞θのときは光源Ｌより放射された光束を直接反射させることができず、実質的に光源Ｌより放射される光束を直接的に前方へ配向させる機能を発揮しにくい。また、α’がθ1/2より十分小さい（即ちθ1/2−１０°＞α’）ときは、光源より放射される光束を前方に閉塞し過ぎるので、前方への配向性が高まる半面、前方以外の領域との差が著しくなり光ムラを生じやすくなる。前記式はより好ましくは、
θ1/2±５°≦α’＜θ
である。
【００５５】
一方、反射板凹部３ａの開口端寸法Ｌ２と反射板凹部３ａの高さ寸法Ｈを用いて反射板凹部３ａの開口角度α（図１０（ａ）参照）を表すと、下記の式３となる。
tanα＝Ｌ２／（２・Ｈ）・・・（式３）
【００５６】
ここで前記高さ寸法Ｈは、光源発光部から反射板凹部３ａの開口部までの高さＨ１（図１０（ｂ）参照）と近似できる（即ち、光源発光部の反射底部３ｄからの高さが、前記高さ寸法Ｈに対して十分に小さいため無視できる）場合はα＝α’と見なしてもよいが、より正確、若しくは無視できない場合はＨをＨ１に置換えて考慮することができる。本実施形態では光源の高さは反射板３の高さＨに対して十分に小さいものとしα＝α’を適用した。
【００５７】
α＝α’を適用した場合、前記式３は下記式４と表される。
tan（θ1/2±１０°）＝Ｌ２／（２・Ｈ）・・・（式４）
光源の指向角θ1/2は光源Ｌの種類によって便宜選択できるが、本実施形態ではθ1/2＝６０°であって、この数値がＬＥＤでは一般的である。θ1/2＝６０°であれば、指向性が強すぎ（指向角が狭すぎ）ないので好ましい。また、光源Ｌは集光や拡散により予め指向性を調整するためのレンズ等が併用されていてもよい。
【００５８】
指向角の範囲が±１０°の場合、本実施形態で使用した光源Ｌの指向角θ1/2=６０°を式４に代入すると
tan（６０°±１０°）＝Ｌ２／（２・Ｈ）
となり、これよりＬ２／Ｈの範囲は、前記式１の２.４≦Ｌ２／Ｈ≦５.５となる。
【００５９】
Ｌ２／Ｈ＜２.４（α＜５０°）のときはα≪θ1/2となり、光源Ｌからの光束が反射板３の周側壁面にて１次反射される割合が高すぎるため、前方照度はより高まる一方で、光源が集光しすぎて明暗の差異が明確となり光ムラが発生しやすい。逆に、５.５＜Ｌ２／Ｈ（７０°＜α）のときはθ1/2≪αとなり、光源光束が反射板３の周側壁面にて１次反射される割合が低すぎるため、前方照度を向上させにくくなる。なお、より好ましい場合（指向角の範囲が±５°の場合）は、
tan（６０°±５°）＝Ｌ２／（２・Ｈ）
であって、このとき２.９≦Ｌ２／Ｈ≦４.３である。
【００６０】
また、前方照度を効率よく高めるためには、反射板凹部３ａの内面（仕切壁部３ｂ，３ｂまたは反射内壁面３ｆ，３ｆ）が所定の角度範囲を有していることが好ましく、本願発明者は鋭意検討の結果、反射板凹部３ａの縦断面における開口縁と反射底部３ｄの外縁部とを結ぶ線分が反射底部３ｄの法線となす、該法線から外方に向かう側の角度を傾斜角度β（図１０（ａ）参照）とすると、
tanβ＝(Ｌ２−Ｌ１)／（２・Ｈ）・・・（式５）
で表すことができ、β＝３７.５°を最適に±１０°の範囲とすることにより１次反射される光束を前方へ効率よく反射させることで前方照度を高めるとともに光ムラも低減することができることを見出した。このとき式５は、
tan(３７.５°±１０°)＝(Ｌ２−Ｌ１)／（２・Ｈ）
で表され、これより(Ｌ２−Ｌ１)／Ｈの適正範囲は、前記式２の１.０≦(Ｌ２−Ｌ１)／Ｈ≦２.２で表せられる。なお、反射底部３ｄが平面を有しない場合には、前記法線は、反射底部３ｄの有する面の平均位置における仮想面から決定される。
【００６１】
(Ｌ２−Ｌ１)／Ｈ＜１.０（β＜２７.５°）のときは光源Ｌからの光束が反射板凹部３ａの内面にて１次反射されたのちに前方以外へ反射される割合が高くなるため、前方照度を向上させにくくなる。また、２.２＜(Ｌ２−Ｌ１)／Ｈ（４７.５°＜β）のときもまた前方以外へ反射される割合が高くなるため、前方照度を向上させにくくなる。
【００６２】
なお、式５は、±５°の範囲とされることがさらに好ましく、このとき、
tan（３７.５°±５°）＝(Ｌ２−Ｌ１)／（２・Ｈ）
で表され、これより(Ｌ２−Ｌ１)／Ｈの適正範囲は、１.３≦(Ｌ２−Ｌ１)／Ｈ≦１.８である。
【００６３】
反射板凹部３ａの周側壁面（第１実施形態では、仕切壁部３ｂ，３ｂにおける壁面３ｊ，３ｊまたは反射内壁面３ｆ，３ｆ）は反射板凹部３ａの縦断面における開口縁と反射底部３ｄの外縁部とを直線で結ぶ縦断面形状である平面である必要はなく、反射板凹部３ａの縦断面における開口縁と反射底部３ｄの外縁部とを曲線で結ぶ縦断面形状である曲面であってもよい。ここで、前記曲面が、反射板凹部３ａの縦断面における開口縁と反射底部３ｄの外縁部とを円弧で結ぶ縦断面形状である曲面である場合は、該曲面は底面側始点から開口部縁終点に至る上り勾配を有する。すなわち反射板凹部３ａの縦断面視にて左側の傾斜面を想定した場合、始点から終点における前記曲線に対する接線と反射底部３ｄの水平線との成す角が０°〜９０°の範囲（換言すると、直交座標上の原点を中心とする円の第４象限の範囲）である。より好ましくは４５°〜６０°の範囲で構成され、この範囲が包含されることが好ましい。このときに構成されうる曲面は次式より求められる円弧半径Ｒ（図１０（ａ）参照）の近似値を適用することで周側壁面によって１次反射し得る９０°−αの領域に放射される光束を前方鉛直方向に反射させる効率を高めることができ、従って、少ない光束でも効率よく前方照度を高めることができ得る。
Ｒ＝［｛(Ｌ２−Ｌ１)／２｝2+Ｈ2］0.5／｛２×sin（７．５°＋|３７．５°−β|）｝・・・（式６）
ここで、より好ましい形態としてβ＝３７．５°のとき、
Ｒ＝［｛(Ｌ２−Ｌ１)／２｝2+Ｈ2］0.5／（２×sin７.５°）・・・（式７）
である（なお、「|」は絶対値記号である）。
【００６４】
以上、前記式１及び式２の条件を同時に満たすことで、前方照度を効率よく高めるとともに光ムラも低減する反射板凹部３ａを形成できる。そして、反射板凹部３ａの各部寸法を決定するための前記各寸法Ｌ２，Ｌ１，Ｈを所定範囲とするように、構成部材や光源Ｌの取り合いに合わせて任意に設定することで容易に照明装置の設計が可能である。
【００６５】
次に、図１に戻り、前記拡散板４は、一方向に沿って長手となるように形成されている。拡散板４の長さとしては、特に限定されるものではなく、種々の長さとできる。また、拡散板４は、凸状（具体的には、長手方向に直交する断面形状が凸状）の形状を有する。この拡散板４は反射板３の上方に重ねられる。
【００６６】
拡散板４について、より詳しく説明すると、図５に示すように、拡散板４は、光源収容体２と組み合わされた状態のカバー１内に収容された状態で、軸線方向に沿って長手となる平板部４ａと、該平板部４ａの幅方向端部から下斜め外方に延設された拡散板フランジ部４ｂとを備えている。左右の拡散板フランジ部４ｂ，４ｂが光源収容体２とカバー１とによって挟まれるため、接着剤や接着テープを用いることなしに、拡散板４を光源収容体２に対してずれることなく固定できる。
【００６７】
この拡散板４により、光源Ｌからの光が拡散板４の上面及び下面で反射するので、光源Ｌが指向性の高いものであっても、カバー１の内部での多重反射の回数が増加するため、カバー１から出る光に関して配光を均一化できる。また、２色以上の異色の光源Ｌが１本の光源モジュールＬｍに配置された場合であっても、光の混色が促進され、演色性に優れたものとできる。
【００６８】
なお、カバー１と同様、拡散板４を形成する材料としては、光源Ｌからの光を拡散透過できるものであれば特に限定されるものではなく、種々の材料を使用できる。本実施形態の拡散板４は、反射板３と同様、板状の材料を熱成形することで形成されている。この板状の材料としては、特に限定されるものではないが、例えば、熱可塑性樹脂シートを用いることが好ましい。熱可塑性樹脂シートが熱成形されることで拡散板４が形成されることにより、拡散板４の作製を容易に行うことができる。
【００６９】
図１に戻り、前記口金５は、一端部が閉塞された筒状の口金本体５ａと、一対の口金ピン５ｂ，５ｂとを備えている。口金本体５ａは、樹脂素材（耐熱性を有するものが好ましい）を用いて形成されている。一方、一対の口金ピン５ｂ，５ｂは、例えば、アルミニウムや銅等の金属からなり、口金本体５ａを貫通するように配置されて、一端部が口金本体５ａの外側に位置し、他端部が口金本体５ａの内側に位置している。そして、照明ランプが形成された状態で、一対の口金ピン５ｂ，５ｂの他端部が光源モジュールＬｍの配線パターンとリード線を介して電気的に接続される。
【００７０】
次に、前記のような構成を有するカバー１、光源収容体２、反射板３、拡散板４、一対の口金５，５を用いて、照明ランプを形成する手順について説明する。まず初めに、図５に示すように、光源収容体２の上に反射板３を重ね、更にこれらの上に拡散板４を重ねる。具体的には、収容体凹部２ａの内側に反射板凹部３ａを収容するように光源収容体２と反射板３とを重ね、反射板凹部３ａ上端の開口が平板部４ａで塞がれるように拡散板４を重ねる。
【００７１】
この際、反射底部３ｄに形成された開口部３ｇから光源Ｌが反射板凹部３ａ内に突出した状態となる。本実施形態では、対向する一対の仕切壁部３ｂの対向面３ｊ，３ｊと、反射板凹部３ａの内面（一対の反射内壁面３ｆ，３ｆと、反射底部３ｄの一方の面）とで画定される空間に、少なくとも１つの光源Ｌが突出する。また、幅方向両端において、収容体フランジ部２ｂ、反射板フランジ部３ｃ、拡散板フランジ部４ｂが重なった状態となる。
【００７２】
次に、前記重ね合わせられた光源収容体２、反射板３、拡散板４に対しカバー１を取り付ける。この際、まず、反射板３及び拡散板４が重ね合わされた光源収容体２に対しカバー１を上方から当接させると、カバー１の端側係止突起１ｄ１が拡散板フランジ部４ｂに当接する（光源収容体２の収容体フランジ部２ｂに間接的に当接する）。より詳しくは、カバー１における側方開口部１ｂの開口端縁１ｃ、及び、該開口端縁１ｃに一致する端側係止突起１ｄ１の端縁に位置する平面が拡散板フランジ部４ｂの上面に対して当接する。
【００７３】
前記状態でカバー１を押し込むべく、作業者等によりカバー１に下向きの外力がかけられるとカバー１が弾性変形して、側方開口部１ｂが幅方向外側（左右方向）に開くように拡大する。この際、前記のように当接していた面同士が下斜め方向にずれる。そして、外力により側方開口部１ｂが更に広がると、カバー１の端側係止突起１ｄ１が、拡散板フランジ部４ｂ、反射板フランジ部３ｃ、収容体フランジ部２ｂを乗り越えて下方に移動する。そして前記乗り越えの後には前記弾性変形が減少し、カバー１の有する弾性力によって側方開口部１ｂが幅方向内側に閉じるように縮小する。この際、側方開口部１ｂの開口端縁１ｃが上斜め方向に移動して端側係止突起１ｄ１が嵌合部２ｆに入り込む。これにより、端側係止突起１ｄ１が嵌合部２ｆに対して嵌合する。そして、これと同時に、カバー１の奥側係止突起１ｄ２が拡散板フランジ部４ｂに当接する。このため、端側係止突起１ｄ１と奥側係止突起１ｄ２との間に拡散板フランジ部４ｂ、反射板フランジ部３ｃ、収容体フランジ部２ｂが挟まれる。以上により、カバー１の取り付けがなされる。
【００７４】
なお、カバー１取り付け後の状態にて、カバー１には、側方開口部１ｂが広がった際に発生した弾性力が残存したままであってもよいし、弾性変形が解除されて該弾性力が０である自由状態となっていてもよい。
【００７５】
次に、前記のようにカバー１、光源収容体２、反射板３、拡散板４が各々組み合わされた集合体（本実施形態における発光部分）の両端部に、口金５，５が取り付けられる。これにより、軸線方向に沿って長手となる、発光部分の外観が直管状の照明ランプが形成される。
【００７６】
以上、第１実施形態によると、ＬＥＤを光源として用いた照明ランプを小型で、且つ、容易に製造することができる。
【００７７】
前記のように製造された照明ランプは、光源Ｌからの光束が反射板３の反射内壁面３ｆ、及び、仕切壁部３ｂの壁面３ｊ、拡散板４の拡散板フランジ部４ｂ、カバー１における断面円弧状の内面で反射する。そして、拡散板４の平板部４ａで屈折及び反射する。反射に関しては、一度反射した光が再度別の位置で反射すること（多重反射）もある。このようにして、光源Ｌからの光がカバー１に導かれ、カバー１の表面から外部に照射される。よって、前記反射及び屈折を適切に設定することにより、カバー１の表面にて光源Ｌに対応した領域以外からも反射・屈折した光を照射でき、カバー１から照射される光を均一化できる。そして、照明ランプの配光性及び照度（明るさ）を向上できる。
【００７８】
前記のように、光源収容体２に対してカバー１を下方に押し込むことで照明ランプの組み立てが可能であるため、組み立てのための作業スペースを、例えば従来の、管端部の開口より挿入する組み立て方法のように、カバー１の２倍以上も確保する必要がないため、作業スペースが小さくて済む。しかも、照明ランプにおいて外部に露出する部分のうち大部分を、発光部分として、透光性のあるカバー１が占めるようにできるため、配光性を向上できる。また、反射板３及び拡散板４を同時に光源収容体２に対して組み込むことができるので、照明ランプを組み立てるための作業性が良い。
【００７９】
なお、本実施形態では、反射板３、及び、拡散板４の長さがカバー１の長さよりも短く形成されているため、複数の反射板３、及び、複数の拡散板４を長手方向に直線状に配列したものをカバー１、及び、光源収容体２に組み合わせることもできる。このように、複数の反射板３、及び、複数の拡散板４を連結してカバー１を取り付けることができるため、照明ランプを製造する際の作業性を向上させることができる。
【００８０】
また、前記のようにカバー１、光源収容体２、反射板３、拡散板４が各々組み合わされていることから、反射板３及び拡散板４がカバー１及び光源収容体２に連結されることで、カバー１の軸線を中心に照明ランプを回転させて、光の照射方向を任意に設定することができる。
【００８１】
また、本実施形態のようにカバー１を下方に押し込む組み立て方法に限られず、カバー１の端部から光源収容体２を軸線方向（各部の長手方向）に沿ってスライドさせることで組み立てを行ってもよい。
【００８２】
ここで、反射板凹部３ａが光源Ｌの数量に合わせて形成される場合（ただし、これに限定されず、一つの反射板凹部３ａに複数の光源Ｌが配置されていてもよい）には、反射板３あたり一つの反射板凹部３ａが形成されたものであってもよいし、複数の反射板凹部３ａ…３ａが形成されていてもよい。次に、複数の反射板凹部３ａが形成された第２〜第４実施形態について説明する。
【００８３】
第２〜第４実施形態は、複数の光源Ｌ…Ｌが平面視（上から見た場合）にて広がりを持つように配置された照明装置に反射板３が組み込まれている。第２実施形態の反射板３は、図７（ａ）に示すように、平坦な円板に、同心円状に複数の反射板凹部３ａ…３ａが形成されている。また、第３実施形態の反射板３は、図９（ａ）に示すように、平坦な円板における外縁部が径外方向に向かうにつれ下方（後方）へと傾斜する形状とされ、該形状の板に、図示はしていないが同心円状に複数の反射板凹部３ａ…３ａが形成されている。そして、第４実施形態の反射板３は、図７（ｂ）及び図９（ｃ）に示すように、平面視が円形であり中央部が上方（前方）に突出した湾曲板に、同心円状に複数の反射板凹部３ａ…３ａが形成されている。なお、前記第３実施形態の反射板３に関しては、図９（ｂ）に示すように、一つの反射板凹部３ａだけが形成されることもできる。
【００８４】
これらの反射板３に関して以下説明する。なお、図７〜図９に付した符号は、図１〜図３、図５に示した第１実施形態と機能上共通する部分について同一の符号としている。なお、前記「平面視にて広がりを持つように配置」は、図７（ａ）（ｂ）に示す配置に限定されるものではなく、例えば縦方向及び横方向に格子状またはマトリックス状に広がる方向など、種々の方向であってよい。また、第４実施形態のように、上下（前後）方向への位置ずれを伴うことも許容される。
【００８５】
これらの反射板３のうち、各反射板凹部３ａを取り巻くように板状部３ｎが形成されている。この板状部３ｎのうち、反射板３の外縁部に位置するのが外縁面部３ｎ１であり、反射板３の内周部に位置するのが接続部３ｎ２である。つまり、接続部３ｎ２は複数の反射板凹部３ａ…３ａに挟まれて形成されている。なお、前記第１実施形態における反射板フランジ部３ｃは、第２〜第４実施形態の外縁面部３ｎ１に相当する。また、前記第１実施形態における仕切壁部３ｂの端部３ｋは、第２〜第４実施形態の接続部３ｎ２に相当する。また、前記第１実施形態の場合、前記板状部３ｎに相当する反射板フランジ部３ｃの、反射板３における位置は、該反射板３を長手方向ではなく反射板凹部３ａを含む幅方向（長手方向に直交する方向）に縦に切断した場合の、反射板凹部３ａを基準として評価される。
【００８６】
第２実施形態では、図７（ａ）に示すように、外縁面部３ｎ１及び接続部３ｎ２が水平面上に位置している。第３実施形態では、図９（ａ）に示すように、接続部３ｎ２は水平面上に位置しており、外縁面部３ｎ１が径外方向に向かうにつれ下方（後方）へと傾斜して形成されている。この傾斜した外縁面部３ｎ１のうち上面（前面）が外縁面部反射面とされている。第４実施形態では、図７（ｂ）及び図９（ｃ）に示すように、外縁面部３ｎ１及び接続部３ｎ２が径外方向に向かうにつれ下方（後方）へと傾斜して形成されている。前記傾斜した外縁面部３ｎ１のうち上面（前面）が外縁面部反射面とされ、接続部３ｎ２のうち上面（前面）が接続部反射面とされている。この第４実施形態では、前記外縁面部反射面と前記接続部反射面とにより一つの曲面が構成される。この一つの曲面は、図９（ｃ）に示すように、反射板３の板状部３ｎにおける中央寄り部分（接続部３ｎ２）よりも同板状部３ｎにおける外縁寄り部分（外縁面部３ｎ１）の方が水平面に対する傾斜角度の大きい曲面である。このため、複数の反射板凹部３ａ…３ａの反射底部３ｄ…３ｄが同一面上に形成されている場合には、図９（ｃ）に示すように、板状部３ｎからの反射板凹部３ａの深さは、反射板３の中央寄りに位置する反射板凹部３ａよりも外縁寄りに位置する反射板凹部３ａの方が浅くなる。そして、反射壁部（周側壁部）３ｅの高さ（前後）寸法も反射板３の中央寄りに比べ、外縁寄りの方が低くなる。
【００８７】
板状部３ｎのうちで、前述のように下方（後方）に傾斜した部分（第３実施形態の外縁面部３ｎ１、第４実施形態の外縁面部３ｎ１及び接続部３ｎ２）の傾斜角度は、第３実施形態（図９（ｂ）に示す変形形態も含む）の水平面を基準とした外縁面部３ｎ１の角度（俯角）δが５°以上５０°以下とされている。また、第４実施形態の反射板３の中央上端（より詳しくは、反射板３の中央に位置する反射板凹部３ａの開口縁）を通る水平面を基準とした、反射板３の外縁位置の角度（俯角）εが５°以上５０°以下とされている。なお、前記角度δ及び角度εは、図１０（ａ）に示された角度γに相当する角度である。
【００８８】
第２実施形態の反射板３は、例えば、電光看板等に用いられる表示装置におけるバックライトに組み込むことが好適である。バックライトの一例を図８（ａ）に示す。図８（ａ）に示すバックライトでは、各光源Ｌに対応して、反射板凹部３ａ、つまり、円形の反射底部３ｄとこの反射底部３ｄの全周を囲む反射壁部（周側壁部）３ｅとが形成されている。よって、反射底部３ｄ及び反射壁部（周側壁部）３ｅで画定される空間は逆截頭円錐形状であり、図７（ａ）に示すように、この空間が同心円状に並ぶ。
【００８９】
前記第１実施形態と同じく、反射壁部（周側壁部）３ｅは、光源Ｌの光を反射することでこの光を前方へと導かせる（図８（ａ）に前方へ向かう光線を実線矢印で示す）。そして、板状部３ｎは、光源Ｌから発された後に照明装置内で反射された光を反射することで、この光を前方へと導かせる（図８（ａ）に反射する光線を破線矢印で示す）。このように光を均一に前方に導かせることができるため、前記バックライトでは、前方への照射効率を高めることができる。
【００９０】
一方、第４実施形態の反射板３は、例えば、建物の天井や壁面に設置するシーリングライト等に組み込むことが好適である。シーリングライトの一例を図８（ｂ）に示す。図８（ｂ）に示すシーリングライトでも、各光源Ｌに対応して、反射板凹部３ａ、つまり、円形の反射底部３ｄとこの反射底部３ｄの全周を囲む反射壁部（周側壁部）３ｅとが形成されている。よって、反射底部３ｄ及び反射壁部（周側壁部）３ｅで画定される空間は逆截頭円錐形状であり、図７（ｂ）に示すように、この空間が同心円状に並ぶ。
【００９１】
前記第１実施形態と同じく、反射壁部（周側壁部）３ｅは、光源Ｌの光を反射することでこの光を前方へと導かせる（図８（ｂ）上の囲みＸ部分、前方へ向かう光線を実線矢印で示す）。そして、板状部３ｎにおける外縁面部反射面及び接続部反射面は、光源Ｌから発された後に照明装置内で反射された光を反射することで、各反射板凹部３ａの外方且つ前方へと導かせる（図８（ｂ）上の囲みＹ部分、反射する光線を破線矢印で示す）。このように、第４実施形態では、図８（ｂ）に示すように光を外方に広げることができる。また、板状部３ｎの傾斜、及び、該傾斜に伴って反射壁部（周側壁部）３ｅが径内側よりも径外側の方が低く形成されたことにより、光を均一に前方及び斜め前方に導くことができることから、前記シーリングライト等では照度ムラを小さくできる。
【００９２】
なお、第３実施形態（図９（ｂ）に示す変形形態も含む）の反射板３においても、光の反射に関する図示はしていないが、外縁面部３ｎ１が傾斜しているため、外縁面部反射面で反射した光を、反射板３の外方且つ前方へと導くことができる。このため、複数の反射板凹部３ａ…３ａ（内の光源Ｌ）から発された光のうち少なくとも一部を斜め前方に導くことができるため、第３実施形態の反射板３を組み込んだ照明装置の照度ムラを小さくできる。
【００９３】
以上、第２実施形態のように、バックライト用等、前方照度を高めることが必要な反射板３においては、図８（ａ）に示すように、反射板３の板状部３ｎがこの反射板３の上方（前方）に位置する平面状のカバー１と対向する平面として構成されることが通常であるが、前方照度とともに側方照度（すなわち反射板３径外方向への照度）が必要とされる照明装置に適用する場合には、第４実施形態のように、板状部３ｎが反射板３の中央から外縁へ向かって下方（後方）に傾斜する下り勾配となる曲面として構成されていてもよい。このように板状部３ｎが曲面とされることで、図８（ｂ）に示すように、上方（前方）から側方に亘って光拡散透過部材を備えたカバー１が配設された照明装置において、反射板凹部３ａから前方へ照射された光束のうち何割かを占める、カバー１で反射して反射板３に戻される光束を、板状部３ｎが平面として構成された場合よりも、より径外方向へ反射することができる。このため側方照度を高めることができる。
【００９４】
とりわけ反射板凹部３ａの反射底部３ｄに光源Ｌが配置された場合、光源Ｌから発される光のうち広角度光束成分（光源Ｌから外方へ直射される光束）を反射壁部（周側壁部）３ｅによって前方へ反射させることから、背反的に側方照度が低下してしまう。さらに板状部３ｎが平面として構成された場合、前方向における多重反射が起こることで更に前方照度を向上することに寄与する。故に、シーリングライト等の側方照度を必要とする照明装置においては、このような平面状の反射板３を適用した場合に、側方照度は、仮に反射板凹部３ａを形成しない単なる平板状の反射板３を配設した時と比較して、側方照度が著しく低下するおそれがある。
【００９５】
そこで本発明の所定範囲の条件を満たす反射板３では、反射板凹部３ａにおける前方照射効率を高め、予め前方照度を向上することができる。これに加え、板状部３ｎが前述のように傾斜して構成されることで、カバー１に反射した戻り光束に対して側方反射効率を高めることで、側方照度を向上することができる。
【００９６】
例えば図７（ａ）（ｂ）に示すように、広がりを持つように配置された複数の反射板凹部３ａ…３ａを有する反射板３では、第２実施形態のように反射板３の外縁部に位置する外縁面部３ｎ１にのみ傾斜を形成することができるが、より内周部に位置する接続部３ｎ２より外縁面部３ｎ１へ向かって傾斜を形成することもできる。この場合、接続部３ｎ２と外縁面部３ｎ１との間で段差を有していてもよいし、図７（ｂ）及び図９（ｃ）に示すように、接続部３ｎ２と外縁面部３ｎ１とで一つの曲面が構成されていてもよい。前記段差を有する反射板３では、複数の反射板凹部３ａ…３ａの深さを一定とする場合、各反射板凹部３ａにおける反射底部３ｄの位置に差を生じることになり、それらに追従せしめる発光装置に適用できる。また、接続部３ｎ２と外縁面部３ｎ１とで一つの曲面が構成される場合には、該曲面の始点（反射板３の中央部）より終点（反射板３の外縁部）に向かうにつれ、反射板凹部３ａに相当する位置が欠損し反射板３の高さ（前後）寸法が小さくなる縦断面形状を有する。このとき、前記欠損部分である反射板凹部３ａの位置では板状部３ｎが存在しないことから前方照射効率は低下するものの、反射板３の高さ（前後）寸法が径外へ向かって相対的に小さくなることで側方照射光束が増加することになる。なお、前方照度が必要な中央寄りの板状部３ｎでは傾斜を形成せず（水平面とし）、径外に向かって段階的に傾斜を形成することで、１つの反射板３における特定部位により前方照度と側方照度を担う割合を便宜調整してもよい。
【００９７】
板状部３ｎの傾斜は、前記下り勾配が５°未満であると側方照射効率が上がりにくく、５０°を超えると前方からの戻り光束を受ける投影面積が減少して、側方照射効率が上がりにくかったり、乱反射により光ムラを呈することがあったりする。このため、テ―パ角度をγ（図１０（ａ）参照）とすると５°≦γ≦５０°の範囲で構成されていることが好ましい。より好ましくは２０°≦γ≦４０°である。
【００９８】
本発明の反射板３を実装する照明装置としては、その主目的として前方照射効率を高めることに特化しているので、反射板３の上方（前方）に光拡散透過部材を備えたカバー１を併用する照明装置においてはその距離の比率を０.１＜(Ｈ１／Ｈ０)＜０.３の範囲とすることが好ましい。ここでＨ１は光源発光部より反射板３の前端に位置する開口部までの高さ、Ｈ０は光源発光部よりカバー１の内面までの上下（前後）方向距離である（図１０（ｂ）参照）。(Ｈ１／Ｈ０)≦０.１では反射板３からカバー１までの距離が長すぎて、光が拡散したり減衰して、前方照度が向上しにくかったり、光取出効率が低下することがある。０.３≦(Ｈ１／Ｈ０)では反射板３からカバー１までの距離が（比較的）近すぎることにより、反射板３による前方光束が増加しているため光ムラや影ムラを生じたりすることがある。
【００９９】
なお、前記第２〜第４実施形態の反射板凹部３ａは逆截頭円錐形としたが、これに限定されるものではなく、平面視形状が三角形、四角形、六角形などの逆截頭多角錐形状または多角錐台状としてもよく、内面に反射底部３ｄや開口部の形状に対応しない多面形状面を付与しても良く、これらの形状が互いに組み合わさった形態となっていてもよい。また、反射板凹部３ａは光源Ｌの全周を取り囲む必要もなく、例えば図６（ａ）（ｆ）に示すように、断面Ｖ字型の対向する２面にのみ内面が形成されていてもよい。従って、前記各寸法Ｌ１，Ｌ２，Ｈを特定できる断面形状を有し、内面の少なくとも半分以上が、前方照度を高めることを意図して所定範囲の条件を満たしておればよい。さらに、複数の反射板凹部３ａ…３ａが形成されている場合は前方照度を高めるべく、反射板３における一部領域の反射板凹部３ａのみで前記条件を満たしていてもよい。
【０１００】
また、前記第２〜第４実施形態では、図示したように複数の反射板凹部３ａ…３ａ同士が離れて形成されているが、反射板３上における反射板凹部３ａの配置はこれに限定されるものではなく、複数の反射板凹部３ａ…３ａ同士の一部、例えば反射壁部３ｅ…３ｅ等が重なり合って（交差して）形成されていてもよい。この場合、重なり合った部分における反射壁部（周側壁部）３ｅの高さは、重なり合いのない部分に比べて低く形成される。このように複数の反射板凹部３ａを集合させた形態は、光源Ｌの数量を増加させてスポット的に照明装置の照度を高めることができる。また、この集合した複数の反射板凹部３ａに２色以上の異色の光源Ｌが配置されることで、光の混色が促進され、演色性に優れたものとできる。なお、前記複数の反射板凹部３ａ…３ａが重なり合って形成された場合、板状部３ｎとの位置関係は各反射板凹部３ａを基準に評価される。
【０１０１】
本発明に係る反射板及び照明装置は、前記第１〜第４実施形態に限定されるものではなく、本発明の要旨を逸脱しない範囲で種々の変更が可能である。また、複数の実施形態の構成や方法等を任意に採用して組み合わせてもよく（１つの実施形態に係る構成や方法等を他の実施形態に係る構成や方法等に適用してもよく）、更に、下記する各種の変更例に係る構成や方法等を任意に選択して、前記した実施形態に係る構成や方法等に採用してもよいことは勿論である。
【０１０２】
例えば、前記実施形態では、カバー１は、円筒状（一定の曲率で湾曲した筒状）の外周部に側方開口部１ｂが形成されることで切り欠かれ、長手方向に直交する断面形状が略「Ｃ」字状に形成されているものであったが、これに限定されるものではなく、多角形筒状や楕円筒状の外周部が切り欠かれた形状であってもよい。
【０１０３】
また、前記実施形態では、外力により側方開口部１ｂが幅方向（左右方向）に拡大することで、光源収容体２の幅方向外側からカバー１が嵌合するように、カバー１、光源収容体２等が構成されている（外側からの嵌合）が、これに限定されるものではなく、外力により側方開口部１ｂが幅方向（左右方向）に縮小することで、光源収容体２の幅方向内側からカバー１が嵌合するように（内側からの嵌合）、カバー１、光源収容体２等が構成されていてもよい。
【０１０４】
また、前記実施形態では、カバー１に加えられた、光源収容体２へ向かう下方への外力を受け、側方開口部１ｂが幅方向に拡大するように弾性変形可能とされているが、これに限定されるものではなく、作業者がカバー１をつまんだり握ったりすること等により、側方開口部１ｂが幅方向に拡大または縮小するように弾性変形可能とされていてもよい。
【０１０５】
また、前記実施形態では、カバー１の二つの係止突起１ｄ，１ｄで光源収容体２の収容体フランジ部２ｂ、反射板３の反射板フランジ部３ｃ、拡散板４の拡散板フランジ部４ｂを挟むことで各々が固定されるよう構成されているが、これに限定されるものではなく、反射板３が光源収容体２の収容体フランジ部２ｂに別に形成された嵌合部（図示しない）に対して嵌合することで支持されるよう構成されていてもよい。この嵌合部は、例えば幅方向内方を向いて開口した、長手方向に沿う溝であって、反射板３の幅方向端部を支持できる形状とすることができる。
【０１０６】
また、前記実施形態では、係止突起１ｄは長手方向に連続して（途切れずに）形成されているが、これに限定されるものではなく、断続的に形成されていてもよい。また、係止突起１ｄの断面形状は前記実施形態の三角形に限定されるものではなく、四角形や半円形であってもよい。
【０１０７】
また、前記実施形態では、基台部である光源収容体２は一部材からなるが、これに限定されるものではなく、複数の部材が組み合わされて基台部が構成されていてもよい。また、基台部を構成する一部の部材が、カバー１と同様に透光性のある部材とされていてもよい。こうすることで、基台部からも光の一部を照射できる。
【０１０８】
また、前記実施形態では、反射板３は、複数の仕切壁部３ｂを備えているが、これに限定されるものではなく、図６（ａ）に示すように、反射板３の長手方向に沿って反射板凹部３ａを形成し、反射底部３ｄに複数の開口部３ｇを形成してもよい。この構成の反射板３は、板状の材料を折り曲げ加工することで形成することができる。
【０１０９】
また、前記実施形態では、図３（ｂ）に示すように、反射板凹部３ａの開放方向側に位置する仕切壁部３ｂの端部３ｋが反射板凹部３ａの開放方向に位置する端部３ｍよりも反射底部３ｄ側に位置しているが、これに限定されるものではなく、図６（ｂ）（ｃ）に示すように、反射板凹部３ａの開放方向に位置する端部３ｍと略同一の位置に仕切壁部３ｂの端部３ｋが位置するように構成されてもよい。なお、図６（ｃ）に示すものは、反射板凹部３ａの端部３ｋの上面が平坦面とされたものである。
【０１１０】
また、前記実施形態では、仕切壁部３ｂ，３ｂ間に一つの開口部３ｇを備えているが、これに限定されるものではなく、図６（ｄ）に示すように、複数（図示のものは二つ）の開口部３ｇを備えていてもよい。
【０１１１】
また、前記実施形態では、対向する一対の仕切壁部３ｂ，３ｂと、反射板凹部３ａとで画定される空間は逆截頭多角錐形状または多角錐台状となっているが、これに限定されるものではなく、図６(ｅ）に示すように、反射板凹部３ａを、底部に開口部３ｇが位置するような逆截頭円錐形状の空間が形成されるよう構成されていてもよい。
【０１１２】
また、前記実施形態では、反射板３は一部材からなるが、これに限定されるものではなく、図６（ｆ）に示すように、対向する二部材３１，３１からなり、各部材間に光源Ｌが位置できるように構成されていてもよい。
【０１１３】
また、反射板凹部３ａの外縁部分、または、反射板３の外縁部分には剛性を付与するために、反射特性に影響しない範囲で凸または凹のリブを形成してもよい。また、反射板凹部３ａの底部には複数の光源Ｌ…Ｌが配設されていてもよい（図６（ｄ）参照）。また、反射板３には反射特性に影響しない範囲で照明装置への固定のための構成や相互連結のための構成を付与してもよい。
【０１１４】
また、前記第１実施形態の反射板３は、発光部分の外観が直管状とされた照明ランプに組み込まれたものであるが、これに限定されるものではなく、円管状の照明ランプや、白熱灯用ソケットに適合する蛍光灯であり、管の折り曲げ・折り返しがなされて、軸線が湾曲した発光部分を有する蛍光灯に相当する形状の照明ランプに組み込まれたものであってもよい。
【０１１５】
また、前記実施形態はＬＥＤを用いた照明ランプであるが、これに限定されるものではなく、ＬＥＤ以外の発光素子（例えば有機ＥＬ素子）を発光体として用いた照明ランプであってもよい。
【実施例】
【０１１６】
次に、本願の発明者が実施例１〜１２、及び、比較例１〜１２に係る反射板（図１１参照）を試作して評価を行ったので以下に記す。なお、本発明は実施例１〜１２に係る形態に限定されるものではない。
【０１１７】
（評価方法）
評価に際しては、図１０（ｂ）に示すように光源ＬとしてＬＥＤを使用した光源モジュールＬｍ、反射板３、光源収容体２、カバー１を組み合わせたもの（評価用照明装置）を用いた。
【０１１８】
（評価用照明装置）
まず、評価に先立って、基板寸法が６０ｍｍ×６０ｍｍで中央に１個のＬＥＤ（Ｃｒｅｅ社製『ＳＭＤ ＬＥＤ Ｍｏｄｅｌ ♯ＬＵ６−ＦＷＨ１−０３−Ｎ５−ＮＳ』、チップサイズ：３．３ｍｍ（平面側一辺寸法）×３．５ｍｍ（平面側他辺寸法）×２ｍｍ（高さ寸法）、放射角度（２θ）：１８０°、半値角（２θ1/2）：１２０°）が配設されてなる動作電力が０．１Ｗの光源モジュールＬｍを用意した。
【０１１９】
（反射板）
熱可塑性樹脂非発泡シート（厚み：０．５５ｍｍ、全体の密度：１．１ｇ／ｃｍ3、一面における光線全反射率が９９．０％、拡散反射率が９７．０％、光線全反射率に占める拡散反射率の割合が９８．０％）をその表面温度が１４０℃となるように加熱し、熱成形により、反射板凹部３ａ及び外縁面部３ｎ１に相当する部分が、図１１に示す形状で（図１１には、各実施例及び比較例につき、平面視形状と縦端面視形状を記載している）、表１に記載する各部寸法（設計寸法）となるように形成し（表１中の記号については図１０（ａ）（ｂ）参照）、反射板凹部３ａの反射底部３ｄにＬＥＤを背面側から挿通させるための５．５ｍｍ×５．５ｍｍの貫通孔である開口部３ｇを形成するとともに該開口部３ｇを中心としてφ５３ｍｍの位置が外縁となるようにカットした平面視円形状の反射板３を作製した。なお表１における「光反射板種別」の「通常」とは、外縁面部３ｎ１に相当する部分が水平に形成された反射板３のことを指し、「テーパ」とは、外縁面部３ｎ１に相当する部分の少なくとも一部が傾斜して形成された反射板３のことを指す。
【０１２０】
なお、外縁面部３ｎ１につき、実施例１〜６及び比較例１〜６については水平方向に延びる平坦状のものとした。また、実施例７〜１２及び比較例７〜１２についてはテーパ部を形成した。つまり、外縁面部３ｎ１のうち少なくとも一部を、外方に向かうにつれ下方（後方）へと水平面に対して角度γ（図１０（ａ）参照）で傾斜する形状とした。前記テーパ部を形成した反射板３のうち、実施例７〜８及び比較例１０は、単純に反射板凹部３ａの開口縁より反射板３の外周縁に亘って一様に下方（後方）へと傾斜するテーパ部を形成した。また、実施例９〜１２、比較例７〜９、１１〜１２は、テーパ部に加え、反射板凹部３ａの開口縁側または反射板３の外周縁側に平坦部を形成した。
【０１２１】
また、実施例４、８については、反射内壁面３ｆを縦断面形状が半径Ｒ（図１０（ａ）参照）の円弧を有する曲面に形成した。なお、他の実施例及び比較例については、反射内壁面３ｆを縦断面形状が直線を有する面に形成している。
【０１２２】
また、評価の比較基準とするための参考例として、各実施例及び比較例に係る反射板３と同一素材である平板状の反射板３を直径φ５３ｍｍの円板状とし、中央に５．５ｍｍ×５．５ｍｍの貫通孔（開口部３ｇに相当）を形成したものを作製した。
【０１２３】
（評価用試料）
前記各実施例及び比較例に係る反射板３を、反射底部３ｄに設けた前記開口部３ｇからＬＥＤの発光部を露出させるようにして装着させて評価用試料とした。
【０１２４】
（照明装置）
次いで、図１０（ｂ）に示すように、内半径が２９．５ｍｍで中心角が２０２．５°で構成される空洞を有する略半球状に形成した評価用のカバー１と評価用の光源収容体２とを用意し、前記評価用試料を前記光源収容体２に載置して、その上部より前記カバー１で覆って評価用照明装置を作製した。前記カバー１の厚みは１．５ｍｍで光透過率は５８％である。なお、各実施例及び比較例に係る、高さの異なる反射板３を前記評価用照明装置に組み込むため、前記評価用試料の裏面と光源収容体２の底部との間に反射板３のサイズに応じたスペーサを挿入して高さの調整を行った。
【０１２５】
評価用照明装置において、ＬＥＤの発光部及び反射板３はカバー１と光源収容体２との間に収納されている。このため、反射板３の上方（前方）および側方の全てがカバー１と面している状態となっている。このとき反射板３の反射底部３ｄに実装されたＬＥＤの発光部よりその鉛直上方のカバー１の内面までの距離がＨ０である。また、ＬＥＤの発光部より反射板３の反射板凹部３ａの上端までの高さ寸法がＨ１である（図１０（ｂ）参照）。
【０１２６】
（前方照度、側方照度の測定及び評価）
前記評価用照明装置における、ＬＥＤの鉛直上方に位置するカバー１の表面上の中心点（０°）とその点より側面側の外方９０°におけるカバー１の表面上の点を測定点とした。評価用照明装置に通電しＬＥＤを発光させた状態で、前記０°の測定点に照度計（コニカミノルタ社製『デジタル照度計Ｔ−１』）Ｔの受光部を上方から垂直に接触させて照度を一定時間間隔で５回測定し、その相加平均値を照明装置の前方照度（０°照度）とした。また、前記０°照度と同様に、側面側の外方９０°の測定点に照度計Ｔの受光部をカバー１の表面に対する法線方向から接触させて照度を周方向の任意の５箇所で測定し、その相加平均値を照明装置の側方照度（９０°照度）とした。
【０１２７】
なお、前方照度及び側方照度の評価は、前記参考例である平板状の反射板３を組み込んだ評価用照明装置にて、ＬＥＤの発光部より上方（前方）のカバー１までの距離Ｈ０を前記各実施例及び比較例と同一として前方照度（０°照度）及び側方照度（９０°照度）を測定し、その前方照度及び側方照度（表１における「平板照度」）を基準（１００％）とした場合、各実施例及び比較例に係る反射板３を組み込んだ評価用照明装置の前方照度及び側方照度につき、増減に係る相対比（％）を算出して行った。そして、前方照度及び側方照度についての前記相対比につき、前方照度に関して４０％以上増加しているものを良「○」と判定し、１０％以上増加しているものを可「△」、１０％未満の増加であるものを不可「×」と判定した。次に、側方照度に関して−１０％以内の減少、または、増加しているものを良「○」、−２５％以内の減少のものを可「△」、−２５％以上減少しているものを不可「×」と判定した。
【０１２８】
（均一視認性の評価）
各評価用照明装置のカバー１の上方（前方）から側方（０°〜９０°）にわたる範囲の発光状態を目視判断に基づき評価した。そして、発光ムラが殆ど視認されない場合を良「○」、線状の発光ムラ（陰影）がやや視認された場合を可「△」、明確な線状の発光ムラ（陰影）が視認された場合を不可「×」と判定した。
【０１２９】
（総合判定）
前記前方照度、側方照度、均一視認性の各評価結果に基づき総合判定を行った。ここでは、前方照度の判定が良「○」で且つ、側方照度及び均一視認性がともに可「△」以上の判定となる場合を総合判定で合格「○」とし、前方照度が可「△」以下の判定、若しくは側方照度または均一視認性の何れか一方でも不可「×」の判定である場合を総合判定で不合格「×」とした。
【０１３０】
前記の評価結果を併せて表１に示す。このように、実施例が比較例と比べて高評価であることにより、本願発明の優位性が確認できた。
【０１３１】
【表１】
2014186978.tif 000003
【符号の説明】
【０１３２】
１…カバー、２…光源収容体、３…反射板、３ａ…反射板凹部、３ｂ…周側壁部（仕切壁部）、３ｃ…外縁面部（反射板フランジ部）、３ｄ…反射部凹部の底部（反射底部）、３ｅ…周側壁部（反射壁部）、３ｆ…内反射面（反射内壁面、周側壁面）、３ｊ…内反射面（仕切壁部における壁面、周側壁面）、３ｎ…板状部、３ｎ１…外縁面部、３ｎ２…接続部、４…拡散板、５…口金、Ｌ…光源（発光ダイオード）
【図１】
2014186978.tif 000004
【図２】
2014186978.tif 000005
【図３】
2014186978.tif 000006
【図４】
2014186978.tif 000007
【図５】
2014186978.tif 000008
【図６】
2014186978.tif 000009
【図７】
2014186978.tif 000010
【図８】
2014186978.tif 000011
【図９】
2014186978.tif 000012
【図１０】
2014186978.tif 000013
【図１１】
2014186978.tif 000014